(57)【特許請求の範囲】
【請求項１】
荷重支持部材の外側にパネルを取り付けるパネルの取り付け構造であって、
荷重支持部材の外側とパネルの内側面との間に配備され、荷重支持部材から先端が外側方向に向かって延びるボルトが通過する孔を備えている第一の取付補助具と、
前記ボルトの先端が通過する孔を備えていて、前記パネルの外側に取り付けられ、前記第一の取付補助具と共に前記パネルを挟みつけることによって前記パネルの前記荷重支持部材外側への取り付けを行う第二の取付補助具と、
前記第二の取付補助具にあらかじめ取り付けられていて、前記ボルトの先端が螺合されるナットと
を備えており、
前記第一の取付補助具は、
前記パネルが前記荷重支持部材に取り付けられた際に前記パネルの端縁内側面に接触する外側平坦面を両側に備えていると共に、
当該両側の外側平坦面に挟まれている中央部が、当該外側平坦面に直交して前記荷重支持部材の側に向けて延びる内側側壁を介して前記荷重支持部材の側に凹湾し前記荷重支持部材の外側面に接触する内側平坦面を形成し、
当該内側平坦面に前記ボルトが通過する孔が配備されており、
前記第二の取付補助具は、
前記パネルが前記荷重支持部材に取り付けられた際に前記パネルの端縁外側面に接触する中間平坦面を両側に有し、
当該両側の中間平坦面に挟まれている中央部が、前記荷重支持部材の側に向けて延びる内側側壁を介して前記荷重支持部材の側に向けて凹湾する内側平坦面を形成し、
当該内側平坦面に前記ボルトの先端が通過する孔が配備されていると共に、当該内側平坦面の外側面に前記ナットが取り付けられている
ことを特徴とするパネルの取り付け構造。
【請求項２】
第二の取付補助具を外側から覆うカバー体を更に供えていることを特徴とする請求項１記載のパネルの取り付け構造。
【発明の詳細な説明】
【技術分野】
【０００１】
本発明は柱のような荷重支持部材にパネルのような外装材を取り付けるパネルの取り付け構造に関する。
【背景技術】
【０００２】
柱のような荷重支持部材にパネルのような外装材を取り付けるパネルの取り付け構造としては、従来は、ビスを使用して荷重支持部材にパネルを取り付ける構造が採用されていた（例えば、特許文献１、２）。
【特許文献１】特開平１０−１１５０３３号公報
【特許文献２】特開２００５−２１３８８２号公報
【発明の開示】
【発明が解決しようとする課題】
【０００３】
従来のビスを使用して荷重支持部材にパネルを取り付ける構造では、パネルにビスの穴が残ってしまうため、いったん取り付けたパネルの再使用、再利用に適していなかった。また、従来のパネルをビス留めする方法の場合、外部足場等の作業スペースが必要であった。
【０００４】
今日、資源の有効利用・活用は重要な意義を有しており、柱のような荷重支持部材にいったん取り付けたパネルを再使用、再利用することが可能なパネルの取り付け構造の提案が待たれている。
【０００５】
本願発明は、柱のような荷重支持部材にいったん取り付けたパネルを再使用、再利用することが可能なパネルの取り付け構造を提案することを目的にしている。また、外部足場等の作業スペースを必要とせず、無足場工法を可能にするパネルの取り付け構造を提案することを目的にしている。
【課題を解決するための手段】
【０００６】
前記目的を達成するため、本願は以下の発明を提案するものである。
【０００７】
請求項１記載の発明は、
荷重支持部材の外側にパネルを取り付けるパネルの取り付け構造であって、
荷重支持部材の外側とパネルの内側面との間に配備され、荷重支持部材から先端が外側方向に向かって延びるボルトが通過する孔を備えている第一の取付補助具と、
パネルの外側に取り付けられ、前記第一の取付補助具と共にパネルを挟みつけ、前記ボルトの先端が通過する孔を備えている第二の取付補助具と、
前記第二の取付補助具の外側に配備され、前記ボルトの先端が螺合されるナットと
を備えているパネルの取り付け構造である。
【０００８】
請求項２記載の発明は、
第二の取付補助具を外側から覆うカバー体を更に供えていることを特徴とする請求項１記載のパネルの取り付け構造である。
【発明の効果】
【０００９】
本発明によれば、柱のような荷重支持部材にいったん取り付けたパネルを再使用、再利用することが可能なパネルの取り付け構造を提供することができる。
【００１０】
更に、従来のパネルをビス留めする方法の場合、外部足場等の作業スペースが必要であったが、本発明によれば、内部からの作業で施工できる為、無足場工法が可能になり、外部足場等の作業スペースが不要になる。
【発明を実施するための最良の形態】
【００１１】
本発明は、荷重支持部材の外側面とパネルの内側面との間に配備される第一の取付補助具と、パネルの端縁を外側から押さえつけ、前記荷重支持部材から前記第一の取付補助具を貫通して外側方向に向かって延びるボルトの先端が螺合するナットを外側面に備えている第二の取付補助具とによって前記パネルを挟持し、前記荷重支持部材の内側において前記ボルトを締め付けることにより、前記第二の取付補助具を内側方向（第一の取付補助具の側）に引き込み、パネルを荷重支持部材に取り付けるものである。
【実施例】
【００１２】
以下、添付図面を参照して本発明の好ましい実施例を説明する。
【００１３】
図１は、本発明によるパネルの取り付け構造の一例を説明する断面図である。
【００１４】
本発明によるパネルの取り付け構造は、荷重支持部材１の外側にパネル２を取り付けるものである。荷重支持部材１としては構造物における柱などが該当する。例えば、図１図示のように、角型鋼管で断面四角形状（１００ｍｍ×１００ｍｍ  厚さ：３．２ｍｍ〜１２．０ｍｍ）の柱などが荷重支持部材１となる。
【００１５】
この荷重支持部材１は上下方向（図２中、上下に延びる方向）の所定の箇所に（例えば、上下に１０００ｍｍ以上を空けない間隔で）、ボルト５が配備されている。ボルト５は、図１図示のように、荷重支持部材１から先端が外側方向（図１中、上側方向）に向かって延びるように配備される。ボルト５はパネル２、２を固定する役割を果たす。
【００１６】
パネル２としては、不燃性で、図２図示のように平板状の外装材を使用できる。
【００１７】
荷重支持部材１の外側（図１中、上側）とパネル２の内側面との間には第一の取付補助具４が配備される。
【００１８】
第一の取付補助具４は、圧延鋼材などを用いて製造することができ、荷重支持部材１のサイズに対応させた大きさを有する。例えば、荷重支持部材１が図１に図示し、前述した大きさである場合、図４（ａ）中、符号ａで示される部分の大きさを２７．５ｍｍ程度、符号ｂで示される部分の大きさを３５．０ｍｍ程度、符号ｃで示される部分の大きさを１３．０ｍｍ程度にすることができる。
【００１９】
第一の取付補助具４の図４（ａ）中、符号ｂで示される部分には、図２の上下方向において所定の間隔を空けてボルト５が通過する孔が形成されている。
【００２０】
荷重支持部材1の外側には、図１図示のように、第一の取付補助具４と共にパネル２、２を挟みつける第二の取付補助具６が配備される。
【００２１】
第二の取付補助具６も、圧延鋼材などを用いて製造することができ、荷重支持部材1のサイズに対応させた大きさを有する。例えば、荷重支持部材１が図１図示のような前述した大きさの場合、図４（ｂ）中、符号ａで示される部分の大きさを１５．０ｍｍ程度、符号ｂで示される部分の大きさを１７．５ｍｍ程度、符号ｃで示される部分の大きさを２０．０ｍｍ程度、符号ｄで示される部分の大きさを２０．０ｍｍ程度、符号ｅで示される部分の大きさを２０．０ｍｍ程度、符号ｆで示される部分の大きさを１２．２ｍｍ程度にすることができる。
【００２２】
第二の取付補助具６の図４（ｂ）中、符号ｃで示される部分には、第一の取付補助具４を貫通してきたボルト５の先端が通過する孔が形成されている。
【００２３】
そして、第二の取付補助具６の外側にはナット７が配備され、ボルト５の先端がこのナット７に螺合されるようになっている。
【００２４】
本発明によるパネルの取り付け構造においては、後述するように、荷重支持部材１の内側（図１中、下側）においてボルト５を締め付けることにより、第二の取付補助具６を内側方向（図１中、上側から下側に向かう方向）に引き込み、パネル２を荷重支持部材１に取り付けるようになっている。
【００２５】
ボルト５としては、例えば、通常の六角ボルトを使用し、ナット７をブラインドナットとすることができる。
【００２６】
また、ナット７は、第二の取付補助具６の図４（ｂ）中、符号ｃで示される部分に形成されている第一の取付補助具４を貫通してきたボルト５の先端が通過する孔の外側に、あらかじめ取り付けられている構造にすることもできる。
【００２７】
本発明によるパネルの取り付け構造には、更に、カバー体８が配備されている。カバー体８は、亜鉛めっき鋼板などを用いて製造することができ、荷重支持部材１のサイズに対応させた大きさを有する。例えば、荷重支持部材１が図１図示のような前述した大きさの場合、図４（ｃ）中、符号ａで示される部分の大きさを１６．５ｍｍ程度、符号ｂで示される部分の大きさを５７．０ｍｍ程度、符号ｃで示される部分の大きさを７．４ｍｍ程度、符号ｄで示される部分の大きさを１５．０ｍｍ程度にすることができる。
【００２８】
カバー体８は図１、図２図示のように第二の取付補助具６を外側から覆う役割を果たす。
【００２９】
図１、図２を参照して本発明によるパネルの取り付け構造を利用してパネル２を荷重支持部材１に取り付ける一例を説明する。
【００３０】
第一の取付補助具４の前述したボルト５貫通用の孔に、先端が外側方向（図１中、上側方向）に向かって延びるように荷重支持部材１に配備されているボルト５を挿通させ、第一の取付補助具４を図１図示のように荷重支持部材１の外側面（図１中、上側面）に固定する。第一の取付補助具４の荷重支持部材１への固定は、溶接あるいは、ボルト締めによって行う。
【００３１】
第一の取付補助具４の外側面（図１中、上側面）にポリエチレン発泡体などからなるシーリング材９を装着する。シーリング材９は粘着材付きの定形のシールとし、第一の取付補助具４の外側面（図１中、上側の面）に貼り付けによって、第一の取付補助具４の図２中、上下の長さ方向に隙間が生じないように取り付ける。
【００３２】
第一の取付補助具４の図４（ａ）中、符号ｂで示される凹部部分に、図１図示のように耐火目地材１１を装着する。耐火目地材１１としては、例えば、アルミナシリケート系繊維フェルトなどを使用できる。
【００３３】
次に、ナット７が前述した所定の箇所に外側から取り付けられている第二の取付補助具６を、ボルト５の先端に仮固定する。
【００３４】
第一の取付補助具４と第二の取付補助具６との間に、図１図示のように、パネル２を装入できる間隔を空けておき、第一の取付補助具４と第二の取付補助具６との間にパネル２を図２中、上側から下側方向に向けて落とし込む。なお、図２に図示されているパネル２の上下縁を嵌合式にしておけば、パネル２の上部を押さえ込むことで目地調整を完了させることができる。
【００３５】
パネル２の左右両端に、端縁から２０〜３０ｍｍの範囲に予め粘着材付きのシーリング用のシール１０を貼り付けておき、第二の取付補助具６と第一の取付補助具４との間にパネル２を落とし込む。このシール１０もシーリング材９と同じく粘着材付きの定形のシールにすることができる。シール１０は、図２に図示されている状態でのパネル2、2の上下間を押さえ込む事によって潰れてパネル２、２の目地シールとなる。
【００３６】
ついで、カバー体８を第二の取付補助具６にはさみ込むように、図２中、上側から下側方向に向けて落とし込み、第二の取付補助具６の外側（図１中、上側）に取り付ける。
【００３７】
最後に、ボルト５を内側（例えば、室内側）（図１中、下側）から締め付け、第二の取付補助具６を内側方向（図１中、上側から下側に向かう方向）に引き込む。これによって、第一の取付補助具４と第二の取付補助具６とによってパネル２、２が挟みつけられ、パネル２の荷重支持部材１への取り付けが完了する。
【００３８】
なお、カバー体８は前述したように、第二の取付補助具６の外側（図１中、上側）に取り付けられているので、ボルト５を内側から締め付けて第二の取付補助具６を内側方向に引き込む際に、同時に、カバー体８も引き込まれる。そこで、隙間やねじれが生じないように注意してボルト５を内側から締め付ける。
【００３９】
以上のように、本発明によるパネルの取り付け構造を利用してパネル２を荷重支持部材１に取り付けると、内部からの作業のみで施工でき、外部足場が不要な、無足場工法とすることができる。
【００４０】
図１の実施形態の場合、引き続き、内装が、例えば、次のように行われる。
【００４１】
まず、内装下地材１２を所定のピッチで建て込む。例えば、４５５ピッチ以下で、鋼製などの内装下地材１２を建て込む。
【００４２】
次に、内装材１３を、内装下地材１２に内装材固定用留付材１４によって取り付ける。内装材１３としては石膏ボードなどを用いることができる。内装材固定用留付材１４としては、例えば、ドリルネジや造作ビスを用いることができる。
【００４３】
内装材１３の目地には目地処理材１５を必要量（例えば、２０ｇ／ｍ以上）塗布する。なお、下地のない目地には不図示の目地テープを施すようにすることもできる。
【００４４】
このようにして図２に例示するように、パネル２の荷重支持部材１への取り付けを行うことができる。なお、図２において、符号２９は床、符号３０は大引、符号３１は基礎、符号３２は水切りをそれぞれ表わしている。
【００４５】
図３は、本発明によるパネルの取り付け構造の他の一例を説明する断面図である。内装材１３とパネル２との間にグラスウールやロックウールなどからなる断熱材１６が配備されている点が図１図示の実施形態と相違している。その他の点は、図１図示の実施形態と同一であるので、共通する部分に共通する符号を付けてその説明を省略する。
【００４６】
本発明のパネルの取り付け構造においては、パネル２、第一の取付補助具４、第二の取付補助具６、カバー体８、シーリング材９、耐火目地材１１、シール１０として公知の不燃性、耐火性を有する部材を使用することにより、防火取り付け構造にすることができる。
【００４７】
更に、図３の実施形態のように、内装材１３とパネル２との間に断熱材１６が配備されているようにすれば、より断熱性、防火性の優れた防火取り付け構造にすることができる。
【００４８】
本発明のパネルの取り付け構造によれば、パネル２を荷重支持部材１から取り外す場合には、ボルト５の内側（例えば、室内側）（図１中、下側）からの締め付けを緩める。これによって、第一の取付補助具４と第二の取付補助具６とによるパネル２の挟み込みを解除し、第一の取付補助具４と第二の取付補助具６との間の間隔を大きくして、パネル２を図２中、上側方向に引き抜けば、パネル２を荷重支持部材１から取り外すことができる。
【００４９】
取り外したパネル２にはビスの穴などが残らないので、パネル２を再使用、再利用することができる。
【００５０】
本発明のパネルの取り付け構造においては、第一の取付補助具４、第二の取付補助具６は前述し、それぞれ、図４（ａ）、（ｂ）に図示した特徴的な構造をしている。
【００５１】
すなわち、第一の取付補助具４は、両側にパネル２、２の端縁内側面に接触する外側平坦面１７、１７を有し、この両側の外側平坦面１７、１７に挟まれている中央部が当該外側平坦面１７、１７に直交して荷重支持部材１側に向けて延びる内側側壁を介して荷重支持部材１側に凹湾し、荷重支持部材１の外側面に接触する内側平坦面１８になっている。そして、両側の外側平坦面１７、１７の両端縁に、当該外側平坦面１７、１７に直交して荷重支持部材１側に向かって延びる外側側壁１９、１９を備えており、この外側側壁１９、１９の先端縁２０、２０が荷重支持部材１の外側面に接触している。
【００５２】
一方、第二の取付補助具６は、パネル２、２が荷重支持部材１に取り付けられた際に、パネル２、２の端縁外側面に接触する中間平坦面２１、２１を有し、この両側の中間平坦面２１、２１に挟まれている中央部が荷重支持部材１側に向けて延びる内側側壁２３、２３を介して荷重支持部材１側に向けて凹湾し、内側平坦面２２になっている。そして、両側の中間平坦面２１、２１の両端縁に荷重支持部材１から離れる方向に向かって延びる中間側壁２４、２４が形成されている。中間側壁２４、２４の両端縁には、中間側壁２４、２４に直交し、図１図示のようにカバー体８に当接する外側平坦面２５、２５が形成されている。外側平坦面２５、２５の両端縁には、外側平坦面２５、２５に直交し、荷重支持部材１側に向けて延びて、図１図示のようにカバー体８との掛合を担う外側側壁２６、２６が形成されている。
【００５３】
従来、サッシにも普通の板状のパネルにも使用できる取り付け構造は提案されていなかったが、前述した構造の第一の取付補助具４、第二の取付補助具６を使用することにより、本発明のパネルの取り付け構造は、サッシにも、普通の板状のパネルにも使用できる。
【００５４】
なお、カバー体８は、第二の取付補助具６に装着した際に、外側平坦面２５、２５に接触する平坦面２７と、平坦面２７の両側縁から内側方向に向けて延び、第二の取付補助具６の外側側壁２６、２６を図１、図３図示のように外側から抱持するように屈曲している内向かい屈曲側壁２８、２８を備えている。
【００５５】
このような構造によって、前述したように、カバー体８を第二の取付補助具６にはさみ込むように落とし込むことができる。
【００５６】
以上、添付図面を参照して本発明の好ましい実施形態、実施例を説明したが、本発明は前述した実施形態、実施例に限定されるものではなく、特許請求の範囲から把握される技術的範囲において種々の形態に変更可能である。
【図面の簡単な説明】
【００５７】
【図１】本発明のパネル取り付け構造の一例を説明する断面図。
【図２】本発明のパネル取り付け構造を利用してパネルが取り付けられた状態を説明する一部を破切し、一部を省略して表わした斜視図。
【図３】本発明のパネル取り付け構造の他の一例を説明する断面。
【図４】（ａ）第一の取付補助具を説明する平面図、（ｂ）第二の取付補助具を説明する平面図、（ｃ）カバー体の平面図。
【符号の説明】
【００５８】
１  荷重支持部材
２  パネル
４  第一の取付補助具
５  ボルト
６  第二の取付補助具
７  ナット
８  カバー体
【図１】
0004424557.tif 000002
【図２】
0004424557.tif 000003
【図３】
0004424557.tif 000004
【図４】
0004424557.tif 000005